(57)【特許請求の範囲】
【請求項１】
複数枚が敷設されてフリーアクセスフロアを形成するフロアパネルを床面に支持する支持脚装置において、
上下に分割された支持脚を備え、
前記支持脚は、幅広の分割上部と柱状の分割下部とからなり、これらの分割面はともに傾斜した斜面であって、分割上部の分割面が分割下部の分割面よりも斜面方向に長く形成され、
前記分割上部は、天面にパネル支持板が取り付けられてフロアパネルの裏面を支持し、固定ボルトを挿通させる斜面方向の長孔を備えるとともに、前記分割下部は固定ボルトを螺合するボルト螺合孔を備えて、これら分割上部と分割下部とが固定ボルトによって結合され、
各分割面は、斜面方向に対し直交する方向の多数の微少な溝を備え、分割下部の分割面に載置された分割上部を斜面方向へ滑り落ちることなく静止させ、
前記分割上部及び分割下部の各分割面を相互に斜面方向にずらせて、適宜の位置でボルト固定することにより、支持するフロアパネルの高さ調整が可能とされたことを特徴とする支持脚装置。
【発明の詳細な説明】
【技術分野】
【０００１】
本発明は、フリーアクセスフロアを形成するためのフロアパネル用の支持脚装置に関する。
【背景技術】
【０００２】
フリーアクセスフロアは、コンクリート等の床スラブ面上の所定高さに複数枚のフロアパネルを整列配置して、二重床を形成することによって、床スラブとフロアパネルとの間をケーブル配線や配管等を行う空間として利用されている。通常、パネルは略正方形状に形成され、四隅を支持脚に載せるようにして配置され、四枚のパネルを１本の支持脚で支持するように構成されているものが多い。
【０００３】
ところが、このようなフロアパネルを敷設する床スラブ面は、水平に施工することが困難な場合があり、施工状況によってはコンクリートの養生期間中などに、どうしても若干の高低差を生じてしまうことがある。そのため、このような不陸を生じた場合は、鉄板製ライナー等を床スラブ面に配置して、不陸を均す処理が必要とされていた。
【０００４】
また、不陸調整には、床スラブ面を均すのではなく、立設するフロアパネルの支持脚の高さを調整することによって、フロアパネルの上面をフラットな状態として設置する工法も行われている。
【０００５】
このように支持脚で高さ調整を行うフリーアクセスフロアには各種の構造があり、例えば特許文献１、２等にその支持構造が提案されている。この種のフロアパネルの支持脚は、床スラブ上にベースプレートを介して立設するねじ柱と、ねじ柱に螺合させるねじ筒と、ねじ筒の上端に固定されたフロアパネル支持用の天板とで構成されている。そして、ねじ筒を回転させてねじ柱との螺合している位置を上下に移動させて、フロアパネルの支持高さを調整するようになされている。
【０００６】
また、特許文献３，４には、床材と床下スラブとの間に横置きで介設される金属製四角筒を用いた床下地構造が提案されている。この四角筒の下面と床下スラブとの間には、上下一対の調整ピースが介設される。そして、この調整ピースによって、金属製四角筒の水平出しを行い、固定ピンによって調整ピースを共縫い固定する構成となされている。
【特許文献１】実開平５−６１３４０号公報
【特許文献２】特開２０００−９６８１１号公報
【特許文献３】特開平８−１５１７６７号公報
【特許文献４】特開平１１−１４１４０３号公報
【発明の開示】
【発明が解決しようとする課題】
【０００７】
前記特許文献１，２にあるような支持脚の高さ調整は、スパナ等の工具を用いてねじ柱を回転させて行われる。この種の高さ調整では、ねじ機構でフロアパネルの高さを調整するため、かなりの回転をさせないと目的の高さに調整できず、手間と時間が多くかかるという問題点があった。また、ねじ機構を回転させるスパナ等の工具を常備しなければならないという欠点もあった。
【０００８】
また、前記特許文献３，４にあるような床下地構造においては、調整台にビス止めした下部調整ピースの上で上部調整ピースをスライドさせることによって金属製四角筒の水平調整を行い、さらに四角筒の上面の切欠穴を作業穴として調整ピースと四角筒とをピン固定する構成であるので、ビス止めやピン固定の作業が多く、前記支持脚の高さ調整と同様に手間がかかり、多種の工具が必要になる。さらに、上下の調整ピースにはボルト・ビス用の穴やタップがなく、現場合わせで穴あけやタップなどの機械加工も行わなければならず、施工コストがかさむという問題点もあった。
【０００９】
また、フロアパネル等の床材を支持するこれら従来の支持部材は、鋼製のものが使用されており、床下の湿気による錆の発生を避けるために、メッキ等の防錆処理を施す必要があった。
【００１０】
そこで本発明は、上記のような問題点にかんがみてなされたものであり、フロアパネルを支持する支持脚の高さを、手間と時間をかけずに調整できるようにし、また高さ調整のための工具を用意しなくても簡単に作業をすることのできる施工性に優れた支持脚装置を提供するものである。
【課題を解決するための手段】
【００１１】
上記した目的を達成するため、本発明は、複数枚が敷設されてフリーアクセスフロアを形成するフロアパネルを床面に支持する支持脚装置を前提としている。この支持脚装置に対し、上下に分割された支持脚を備えさせ、前記支持脚を、幅広の分割上部と柱状の分割下部とから構成している。そして、これらの分割面をともに傾斜した斜面とし、分割上部の分割面を分割下部の分割面よりも斜面方向に長く形成したことで、この分割面を互いにスライドさせ、分割上部及び分割下部の各分割面を相互に斜面方向にずらせて、適宜の位置でボルト固定することにより、支持するフロアパネルの高さ調整を可能としている。
【００１２】
上記の構成によれば、上下に分割された支持脚を傾斜した分割面に沿って相対的にスライドさせるだけで、支持脚の高さを変えることができる。したがって、手間も時間もかけずに任意の高さに調整することができ、床面に生じた不陸の調整を容易に行うことができる。また、かかる構成によれば、分割面の傾斜角度を変えることによって、支持脚の高さ調整可能な範囲のバリエーションを増やすことができる。
【００１３】
また、前記構成の支持脚装置において、支持脚の分割上部と分割下部とは、分割面に貫通する固定ボルトによって結合されており、支持脚の分割上部には固定ボルトを挿通させうる斜面スライド方向の長孔が形成されるとともに、分割下部の分割面にはボルト螺合孔が形成されて、上下分割面をずらしたとき適宜の位置でボルト固定しうることを特徴としている。
【００１４】
これによると、支持脚の分割上部に設けられた長孔が、固定ボルトによって結合された上下分割面のスライドを一定の範囲に許容する。したがって、この長孔の大きさの範囲内で分割上部を斜面方向に動かすだけで、支持脚の高さを容易に変えることができる。
【００１６】
上記固定ボルトとしては、蝶ボルトが用いられることが好ましく、これにより上下の分割面を結合する際にボルトを締め付ける工具を用意する必要がなく、簡単に作業を進めることができる。
【００１７】
また、支持脚の分割面には、斜面方向に対して直交する方向に多数の微少な溝が形成されて、分割下部の分割面に載置された分割上部が斜面方向へ滑り落ちることなく静止させる構成とされている。
【００１８】
かかる溝の深さとしては、０．１ｍｍ〜数ｍｍ程度であることが好ましく、より好ましくは０．１ｍｍ〜１ｍｍの範囲で構成することが好ましい。このように分割面に溝が形成されていることによって、上下の分割面の間に摩擦力を生じるので、分割下部の分割面に分割上部が載置されたとき滑り落ちることがなく、作業性が高められる。
【００１９】
さらに、本発明の支持脚装置においては、支持脚の材質が合成樹脂とされることが好ましく、これによって防錆処理が不要になるとともに、前記分割面の溝を形成しやすくなるなどの利点があり、従来の鋼製の支持脚に比して製造コストおよび施工コストの低廉化を図ることができ、大量に製造することも可能になる。
【発明の効果】
【００２０】
上述のように構成される本発明の支持脚装置によれば、上下に分割された支持脚を傾斜した分割面に沿って相対的にスライドさせるだけで、支持脚の高さを変えることができる。したがって、手間や時間をかけずに任意の高さに調整することができ、床面に生じた不陸の調整を容易に行うことができる。
【００２１】
また、固定ボルトとして蝶ボルトを用いることで、高さ調整を行うための工具が不要になり、施工性が高められ、上下分割面に滑り防止のための多数の微少な溝を設けることで、さらに良好な施工性を確保することができる。加えて、支持脚の材質を合成樹脂によって形成すれば、製造コストおよび施工コストの低廉化を図ることができ、より好ましい。
【発明を実施するための最良の形態】
【００２２】
以下、本発明に係る支持脚装置を実施するための最良の形態について、図面を参照しつつ説明する。
【００２３】
図１〜図３は本発明の支持脚装置を示し、図１は支持脚装置の説明図、図２は支持脚装置の上面図、図３は支持脚の分割下部の上面図である。
【００２４】
本発明の支持脚装置は、複数枚のフロアパネルを床面に敷設してフリーアクセスフロアを形成するのに用いられる。図示するように、支持脚１は、上下に分割して形成されている。そして、この支持脚１の分割面は、ともに一方向に傾斜して形成されている。
【００２５】
上下に分割された支持脚１の分割上部１２と分割下部１３とは、分割面に貫通する１本の固定ボルト１４によって結合されて一体となるように構成されている。分割上部１２及び分割下部１３は、ともに合成樹脂により形成されている。
【００２６】
例示の形態では、分割上部１２の分割面１２１が、分割下部１３の分割面１３１よりも約２倍程度、幅広に形成されている。また、これらの分割面１２１，１３１の傾斜角度は約３０°で形成されている。この分割面１２１，１３１の傾斜角度は、支持脚に必要とされる高さ調整の範囲に応じて適宜選択されることが好ましく、傾斜角度を変えたり、分割面１２１の幅を広げたりすることで、様々な高さ調整の範囲に対応することができる構成となっている。
【００２７】
また、両分割面１２１，１３１には、斜面方向に対して直交する方向に、多数の微少な溝（１３２）が両分割面１２１，１３１の全体に形成されている（図３参照）。これらの分割面１２１，１３１に形成する溝（１３２）は、それぞれ０．１ｍｍ〜１ｍｍ程度の深さとなされることが好ましい。
【００２８】
このように多数の溝（１３２）が形成されていることによって、分割下部１３の分割面１３１に分割上部１２を載置したとき、上下分割面１２１，１３１の溝同士が係合して、分割面１２１，１３１間の摩擦を増し、分割上部１２が斜面方向に滑り落ちることなく、分割下部１３の上に静止するように構成されている。
【００２９】
また、かかる分割上部１２には、天面にパネル支持板１２２が備えられ、フロアパネル２の裏面を支持するように構成されている。図２に示すように、例示のパネル支持板１２２は上面視円形状に形成され、周縁部に４本のピン１２３が立設されて、フロアパネル２の裏面側に設けられたピン孔２１に各ピン１２３が嵌合して固定されるようになっている。また、図３に示すように、分割下部１３は台座１３３に立脚させた柱状に形成されており、分割面１３１のほぼ中央部にボルト螺合孔１３４が設けられている。
【００３０】
これに対し、支持脚１の分割上部１２には斜面スライド方向の長孔１２４が形成されている。この長孔には、蝶ボルト１４を挿通させ、分割下部１３のボルト螺合孔１３４に蝶ボルト１４を螺合させられるようになっている。
【００３１】
このような支持脚１は、分割上部１２と分割下部１３との結合位置によって高さを変えることができるようになっている。すなわち、蝶ボルト１４を用いて上下の分割面１２１，１３１を結合するとき、分割下部１３に対して分割上部１２の分割面１２１を斜面方向にスライドさせ、斜面上方寄りで結合させれば支持脚１の高さが高くなり、斜面下方寄りで結合させれば支持脚１の高さが低くなる。
【００３２】
そして、分割上部１２は、蝶ボルト１４を挿通させる部分が長孔１２４になっているので、上下分割面１２１，１３１をずらしたとき、適宜の位置で蝶ボルト１４を分割下部１３のボルト螺合孔１３４に螺合させることができ、上下分割面１２１，１３１を締め付けて固定することができる。また、上下分割面１２１，１３１にそれぞれ多数の溝１３２が形成されているので、蝶ボルト１４だけで分割上部１２と分割下部１３とを結合するよりも強固に固定することができ、分割面１２１，１３１の相対的な斜面方向の滑動を抑止する力を発生させることができる。
【００３３】
さらに、支持脚１には、分割下部１３の分割面１３１に斜面方向のガイド溝１３５が形成されている。また、分割上部１２の分割面には、ガイド溝１３５内を摺動しうるガイド突起１２５が形成されている。これにより、分割上部１２と分割下部１３とのスライド方向が斜面方向だけに規制され、上下でずれないように構成されている。なお、このようなガイド溝（１３５）は分割上部１２に形成されて、ガイド突起（１２５）が分割下部１３に形成された構成であってもよい。
【００３４】
このように構成される支持脚装置は、フロアパネル２を裏面側から支持して床面に二重床を形成する。図４はフロアパネル２の敷設例を示す平面図であり、図５は支持脚装置を用いたフロアパネル２の支持構造の一例を示す説明図である。
【００３５】
フロアパネル２は、例えば図４に示すように、略正方形状に形成され、均等間隔で複数個の貫通孔２２が設けられており、敷設時には蓋材で閉口されている。配線や配管等を通すのに必要な箇所の貫通孔２２の蓋材を押し抜きすることで、開口して用いるように形成されている。また、フロアパネル２の裏面側のピン孔２１は、貫通孔２２の周囲に均等間隔で形成されている。
【００３６】
かかるフロアパネル２は、角部がカットされた四隅を突き合わせるようにして隣接して配置され、四隅が集まった交点部分に支持脚１を設置して床面に支持されている。蝶ボルト１４は、フロアパネル２の四隅が合わせられて形成された略正方形の開口部から支持脚１に螺合される。居室の壁面に沿って配置されるフロアパネル２には、適当な箇所の貫通孔２２を開口して蝶ボルト１４を支持脚１に螺合させることができる。
【００３７】
また、図５に示すように、床面の不陸部分Ａに設置される支持脚１は、分割面１２１，１３１を互いにスライドさせて不陸部分Ａの高さ分だけ支持高さを低くし、フロアパネル２の支持する高さを変えて配置されている。これにより、フロアパネル２を任意の高さでフラットな状態に敷設することができる。また、上下の分割面１２１，１３１を結合する固定ボルトを、例示の形態では蝶ボルト１４としたので、スパナ等の締付工具が不要であり、簡単に高さ調整を行うことができる。
【００３８】
したがって、本発明の支持脚装置を用いて形成したフリーアクセスフロアは、床面の施工状態にかかわらず、床鳴りやがたつきを抑えて敷設することができ、良好な歩行感をもたらすことができる。
【００３９】
なお、本発明に係る支持脚装置における支持脚１とフロアパネル２との固定方法は、上記のようにパネル支持板１２２にピンが立設されてフロアパネル２に固定されるものだけに限らず、フロアパネル２側にピンが立設されたり、ねじ止め式のパネル押え部材を用いたりするなど、どのように固定されるものであってもよい。
【産業上の利用可能性】
【００４０】
本発明の支持脚装置は、居室の床面をフリーアクセスフロアとするときのフロアパネルの支持脚として好適に利用することができる。
【図面の簡単な説明】
【００４１】
【図１】本発明の支持脚装置の一例を示す説明図である。
【図２】図１の支持脚装置の上面図である。
【図３】図１の支持脚装置の分割下部を示す上面図である。
【図４】フロアパネルの一例を示す平面図である。
【図５】本発明の支持脚装置を用いたフロアパネルの支持構造を示す説明図である。
【符号の説明】
【００４２】
１      支持脚
１２    分割上部
１２１  分割面
１２２  パネル支持板
１２３  ピン
１２４  長孔
１２５  ガイド突起
１３    分割下部
１３１  分割面
１３２  溝
１３３  台座
１３４  ボルト螺合孔
１３５  ガイド溝
１４    蝶ボルト（固定ボルト）
２      フロアパネル
２１    ピン孔
２２    貫通孔
【図１】
0004504879.tif 000002
【図２】
0004504879.tif 000003
【図３】
0004504879.tif 000004
【図４】
0004504879.tif 000005
【図５】
0004504879.tif 000006